(57)【要約】【課題】本発明は、大型ワーク表面を洗浄または研磨するカップ状工業ブラシ毛素材およびカップ状工業ブラシ毛素材の製造方法に関するものである。【解決手段】本発明のチャネルは、重量を軽減するために、合成樹脂製とし、この間に並べられたブラシ毛が植設される。前記合成樹脂製チャネルの側部は、巻き芯に沿い、互いに側部を付けて巻回される。前記合成樹脂製チャネルは、前記巻き芯に巻回される際に、前記合成樹脂製チャネルの側部どうしが互いに溶着されて溶着部となる。本発明のカップ状工業ブラシ毛素材は、チャネルが合成樹脂製であるため、軽量化が達成できると同時に、チャネルの側部をそれぞれ溶着することができ、巻き芯を除去した際に、カップ状ブラシ毛素材として容易に完成させることができる。【選択図】図１
2008079702.tif 000002
【特許請求の範囲】
【請求項１】
ワーク表面を洗浄または研磨するカップ状工業ブラシ毛素材において、
並べられたブラシ毛が植設された合成樹脂製チャネルと、
前記合成樹脂製チャネルの側部どうしが互いに接触するように巻回され、前記合成樹脂製チャネルの側部どうしが互いに溶着された溶着部と、
から少なくとも構成されていることを特徴とするカップ状工業ブラシ毛素材。
【請求項２】
前記溶着部は、熱溶着であることを特徴とする請求項１に記載されたカップ状工業ブラシ毛素材。
【請求項３】
ワーク表面を洗浄または研磨するカップ状工業ブラシ毛素材の製造方法において、
並べられたブラシ毛が合成樹脂製チャネルに植設され、
その後、前記合成樹脂製チャネルの側部どうしが互いに接触するように巻き芯に巻回されると同時に、前記合成樹脂製チャネルの側部どうしが互いに溶着され、
前記巻き芯が除去されることを特徴とするカップ状工業ブラシ毛素材の製造方法。
【請求項４】
前記ブラシ毛の植設および巻回は、前記合成樹脂製チャネルが軟化状態で行われることを特徴とする請求項３に記載された洗浄またはカップ状工業ブラシ毛素材の製造方法。
【発明の詳細な説明】
【技術分野】
【０００１】
本発明は、大型鉄板、航空機、新幹線車両、大型液晶画面、大型ガラス板等の大型ワーク表面を洗浄または研磨するカップ状工業ブラシ毛素材およびカップ状工業ブラシ毛素材の製造方法に関するものである。本発明は、大型ブラシ毛素材の軽量化を図るとともに、使用の際の使い勝手および使用中のバランスを向上させるカップ状工業ブラシ毛素材およびカップ状工業ブラシ毛素材の製造方法に関するものである。本明細書において、前記大型鉄板、航空機、新幹線車両、大型液晶画面、大型ガラス板等のワークを単に「大型ワーク」と記載する。
【背景技術】
【０００２】
図３は従来例におけるカップ状ブラシを説明するための模式図である。図３において、カップ状ブラシ３０は、シャフト３１と、金属カップ３２と、ブラシ毛３３と、前記ブラシ毛３３が植設されている金属製チャネル３４とから構成されている。また、前記カップ状ブラシ３０は、前記金属カップ３２と金属製チャネル３４の間に樹脂層３５があり、前記金属カップ３２と金属製チャネル３４とが互いに固定される。
【０００３】
前記カップ状ブラシ３０は、金属製チャネル３４にブラシ毛３３が植設される。前記カップ状ブラシ３０は、チャネル毛を植設した金属製チャネル３４が側部を互いに接触しながら巻回して作製される。なお、前記カップ状ブラシ３０の詳細は、特開２００６−１２２１５７号公報に示されている。
【特許文献１】特開２００６−１２２１５７号公報
【発明の開示】
【発明が解決しようとする課題】
【０００４】
前記金属製チャネル３４は、ブラシ毛３３の毛量を多くすることができるため、金属製となり、重量が重くなるという問題を有していた。前記重い洗浄または研磨ブラシは、大型ワークに適用する場合、研磨装置に取り付ける際にクレーン等の機械による作業、あるいは大勢の人力を必要とする等の問題があった。前記研磨装置は、大型の液晶画面等に使用する場合、交換あるいは取り付けが容易でないだけでなく、取り付けられた状態のバランスにも問題が生じた。
【０００５】
以上のような課題を解決するために、本発明は、大型ワークの洗浄または研磨を行うカップ状ブラシ毛素材のチャネルを合成樹脂製とすることにより、軽量化および使い勝手、バランスを向上させることができるカップ状工業ブラシ毛素材およびカップ状工業ブラシ毛素材の製造方法を提供することを目的とする。また、本発明は、合成樹脂製チャネルが加熱されている状態で、巻回されることにより、互いの側面を溶着して一体化されたカップ状工業ブラシ毛素材およびカップ状工業ブラシ毛素材の製造方法を提供することを目的とする。
【課題を解決するための手段】
【０００６】
（第１発明）
第１発明のカップ状工業ブラシ毛素材は、ワーク表面を洗浄または研磨するものであり、並べられたブラシ毛が植設された合成樹脂製チャネルと、前記合成樹脂製チャネルの側部どうしが互いに接触するように巻回され、前記合成樹脂製チャネルの側部どうしが互いに溶着された溶着部とから少なくとも構成されていることを特徴とする。
【０００７】
（第２発明）
第２発明のカップ状工業ブラシ毛素材において、第１発明の溶着部は、熱溶着であることを特徴とする。
【０００８】
（第３発明）
第３発明におけるカップ状工業ブラシ毛素材の製造方法は、ワーク表面を洗浄または研磨するものであり、並べられたブラシ毛が合成樹脂製チャネルに植設され、その後、前記合成樹脂製チャネルの側部どうしが互いに接触するように巻き芯に巻回されると同時に、前記合成樹脂製チャネルの側部どうしが互いに溶着され、前記巻き芯が除去されることを特徴とする。
【０００９】
（第４発明）
第４発明のカップ状工業ブラシ毛素材の製造方法において、第３発明におけるブラシ毛の植設および巻回は、前記合成樹脂製チャネルが軟化状態で行われることを特徴とする。
【発明の効果】
【００１０】
本発明によれば、チャネルが合成樹脂製であるため、ブラシ毛を多く植設できるにもかかわらず、軽量化が達成できると同時に、合成樹脂製チャネルの側部をそれぞれ溶着するだけで、カップ状ブラシ毛素材が容易に作製することができる。
【００１１】
本発明によれば、ブラシ毛素材は、チャネルが合成樹脂製であるため、重量が軽減され、自動車あるいは新幹線車両等の大型ワークの洗浄用としても、使い勝手の優れたものとなる。
【００１２】
本発明によれば、合成樹脂製チャネルを加熱した状態で、ブラシ毛を植設すると同時に、コイル状に巻回することで、チャネルの隣合った部分を溶着することができ、バランスの取れた軽量のブラシ毛素材とすることができる。
【発明を実施するための最良の形態】
【００１３】
（第１発明）
第１発明のカップ状工業ブラシ毛素材は、大型ワークの表面を洗浄または研磨するのに適したカップ状ブラシ毛素材に関するものである。チャネルは、重量を軽減するために、合成樹脂製を軟化または溶融状態とし、この間に並べられたブラシ毛が植設される。前記合成樹脂製チャネルの側部は、前記チャネルの合成樹脂が軟化または溶融状態にある間に、必要に応じて、巻き芯に沿い、互いに側部を付けて巻回される。前記合成樹脂製チャネルは、前記巻き芯に巻回される際に、前記合成樹脂製チャネルの側部どうしが互いに溶着されて溶着部となる。本発明のカップ状工業ブラシ毛素材は、チャネルが合成樹脂製であるため、軽量化が達成できると同時に、チャネルの側部を互いに溶着することができ、ブラシ毛素材として、容易に作製することができる。
【００１４】
（第２発明）
第２発明のカップ状工業ブラシ毛素材は、前記合成樹脂製チャネルを加熱することにより、前記チャネルの側部を熱溶着させる。研磨用工業ブラシ毛素材は、熱溶着により一体化されているため、カップ状ブラシ毛素材として、回転させた場合、バランスの優れた状態で回転が可能である。
【００１５】
（第３発明）
第３発明のカップ状工業ブラシ毛素材の製造方法は、先ず、並べられたブラシ毛が加熱されて軟化または溶融状態の合成樹脂製チャネルに植設される。ブラシ毛が植設された合成樹脂製チャネルは、側部どうしが互いに溶着されて、一体となる。前記巻回に巻き芯を使用した場合、巻回の終了後、前記巻き芯は、巻回された前記合成樹脂製チャネルから抜き取られ、カップ状ブラシ毛素材として作製される。前記カップ状ブラシ毛素材は、大型のものであっても、チャネルが合成樹脂製であるため、重量が軽減され、自動車あるいは新幹線車両等の洗浄用としても、使い勝手の優れたものとなる。
【００１６】
（第４発明）
第４発明のカップ状工業ブラシ毛素材の製造方法は、合成樹脂製チャネルが軟化または溶融している間に、前記ブラシ毛が植設される。ブラシ毛が植設された合成樹脂製チャネルは、前記合成樹脂製チャネルが軟化または溶融状態で巻回され、前記合成樹脂製チャネルの側部どうしが互いに溶着されて一体のブラシ毛素材となる。
【実施例】
【００１７】
図１（イ）は本発明の実施例で、チャネルにブラシ毛が植設された状態を説明するためのもので、（ロ）はチャネルの断面図で、（ハ）はチャネルを巻き芯に巻回する状態を説明するためのもので、（ニ）は巻回されたブラシ毛素材を巻き芯から外した後の模式図である。図１（イ）において、チャネルブラシ１１は、断面凹型の合成樹脂製チャネル部材１１１に多数のブラシ毛１１２が植設されている。前記断面凹型は、ブラシ毛１１２を植設するチャネル部１１３と、底部１１４と、互いに溶着する側部１１５とから構成されている。前記ブラシ毛１１２の植設は、前記合成樹脂製チャネル部材１１１が加熱されて軟化または溶融状態で行われる。
【００１８】
図１（ハ）において、前記チャネルブラシ１１は、合成樹脂製巻き芯１２の上面に対して、前記側部１１５（図１（ロ）参照）を互いに接触するようにして、所定回数巻回されてカップ状ブラシ毛素材１３（図２（ニ）参照）となる。前記チャネルブラシ１１は、前記側部１１５がブラシ毛１１２を植設する際の加熱状態で接触するため、一部が軟化または溶融状態で一体となった溶着部１５を構成する。前記カップ状ブラシ毛素材１３は、前記合成樹脂製巻き芯１２を除去することにより、この部分に開口部１４ができる。
【００１９】
図２（イ）から（ホ）はカップ状ブラシ毛素材からカップブラシを作製する状態を説明するための模式図である。図２（イ）において、カップ状ブラシ毛素材１３は、たとえば、合成樹脂製回転軸２１と、カップ部材２３と、ワッシャ２４と、巻回されたカップ状ブラシ毛素材１３とから構成されている。前記カップ状ブラシ毛素材１３は、前記カップ部材２３に合成樹脂製チャネル部材１１１を挿入する。前記カップ部材２３は、中央に前記合成樹脂製回転軸２１を挿入し、ナット２２により、カップ部材２３の上部に取り付ける。
【００２０】
前記カップ部材２３は、前記合成樹脂製チャネル部材１１１を挿入し、前記開口部１４から出て来る合成樹脂製回転軸２１の先端部にワッシャ２４と、ナット２５により固定されて、カップ状ブラシ毛素材１３となる。前記カップ状ブラシ毛素材１３は、全体を合成樹脂製で作製できるため、大型ワークを洗浄または研磨する際に、軽量化されるとともに、使い勝手、およびバランスを向上させることができる。
【００２１】
以上、本発明の実施例を詳述したが、本発明は、前記実施例に限定されるものではない。そして、本発明は、特許請求の範囲に記載された事項を逸脱することがなければ、種々の設計変更を行うことが可能である。ブラシ毛の長さ、密度等は、合成樹脂の種類、大きさ、形状によって任意に選択することができる。また、前記ブラシ毛の材質は、周知または公知のものを使用することができる。
【図面の簡単な説明】
【００２２】
【図１】（イ）は本発明の実施例で、チャネルにブラシ毛が植設された状態を説明するためのもので、（ロ）はチャネルの断面図で、（ハ）はチャネルを巻き芯に巻回する状態を説明するためのもので、（ニ）は巻回されたブラシ毛素材を巻き芯から外した後の模式図である。（実施例１）
【図２】（イ）から（ホ）はカップ状ブラシ毛素材からカップブラシを作製する状態を説明するための模式図である。
【図３】従来例におけるカップ状ブラシを説明するための模式図である。
【符号の説明】
【００２３】
１１・・・チャネルブラシ
１１１・・・合成樹脂製チャネル部材
１１２・・・ブラシ毛
１１３・・・チャネル部
１１４・・・底部
１１５・・側部
１２・・・合成樹脂製巻き芯
１３・・・カップ状ブラシ毛素材
１４・・・開口部
１５・・・溶着部
２１・・・合成樹脂製回転軸
２２・・・ナット
２３・・・カップ部材
２４・・・ワッシャ
２５・・・ナット
【図１】
2008079702.tif 000003
【図２】
2008079702.tif 000004
【図３】
2008079702.tif 000005